(57)【要約】  本発明は、携帯端末にかかり、特に、携帯電源装置と、当該携帯電源装置及び携帯端末を結合することによって構成された結合端末装置と、に関する。上記携帯電源装置は、表示画面と、表示画面の下に配置された蓄電池と、表示画面及び蓄電池を保持する筐体と、を備える。携帯電源装置は、前面及び背面を有する平板形状である。上記表示画面は、前面に位置すると共に、当該前面の少なくとも一部を形成し、表示画面の表示領域の面積と蓄電池の占有領域の面積との両方が、前面の面積の７０％以上である。蓄電池の容積は、当該蓄電池の厚さを変えることなく増加させることができ、携帯電話の拡張された充電サービスを提供することができる。また、本発明の携帯電源装置は大きな表示画面を有するので、携帯電源装置が携帯電話などの携帯端末に接続されると、携帯電源装置の表示画面と携帯端末の表示画面とで同時に表示を行うことができる。【選択図】図１３
2018517336.tif 000002
【特許請求の範囲】
【請求項１】
携帯電源装置であって、
表示画面と、
前記表示画面の下に配置された蓄電池と、
前記表示画面及び前記蓄電池を保持する筐体と、を備え、
前記携帯電源装置は、前面及び背面を有する平板形状であり、
前記表示画面は、前記前面に位置すると共に、当該前面の少なくとも一部を形成し、
前記表示画面の表示領域の面積と前記蓄電池の占有領域の面積との両方が、前記前面の面積の７０％以上である、
携帯電源装置。
【請求項２】
請求項１に記載の携帯電源装置であって、
略長方形の平板形状である、
携帯電源装置。
【請求項３】
請求項１又は２に記載の携帯電源装置であって、
前記表示画面の表示領域の面積は、前記前面の面積の７５％、８０％、８５％、９０％または９５％以上である、
携帯電源装置。
【請求項４】
請求項１乃至３のいずれかに記載の携帯電源装置であって、
前記蓄電池の占有領域の面積が、前記前面の領域の７５％、８０％、８５％、９０％または９５％以上である、
携帯電源装置。
【請求項５】
請求項１乃至４のいずれかに記載の携帯電源装置であって、
前記蓄電池を充電するための外部電力を受け取る機能、前記表示画面および外部装置に電力を供給する機能、及び、前記表示画面に表示するために前記外部装置から表示データを受信する機能、を備えた、
携帯電源装置。
【請求項６】
請求項５に記載の携帯電源装置であって、
前記外部装置は、携帯端末である、
携帯電源装置。
【請求項７】
請求項１乃至６のいずれかに記載の携帯電源装置であって、
前記筐体は、前記背面に携帯端末を保持するための保持構造を有する、
携帯電源装置。
【請求項８】
請求項７に記載の携帯電源装置であって、
前記保持構造は、前記携帯端末を保持するための留め具を有する、
携帯電源装置。
【請求項９】
請求項７に記載の携帯電源装置であって、
前記保持構造は、前記背面に隣接して配置され、前記携帯端末に配置された対応する背面側の磁気吸着素子を吸着して、当該携帯端末を背面側で保持するための背面側磁気吸着素子を備えた、
携帯電源装置。
【請求項１０】
請求項１乃至９のいずれかに記載の携帯電源装置であって、
前記携帯電源装置の２つの側面に位置する第１の側面と第２の側面とは、互いに平行な平面であり、
携帯端末の側面に配置された対応する側面側の磁気吸着素子を吸着するための、前記第１の側面に設けられた第１の磁気吸着素子と、前記第２の側面に設けられた第２の磁気吸着素子と、を備え、
前記携帯電源装置は、当該携帯電源装置のいずれかの側面に、前記携帯端末を吸着することによって当該携帯端末を保持する、
携帯電源装置。
【請求項１１】
請求項１０に記載の携帯電源装置であって、
前記第１の磁気吸着素子は、前記第１の側面から突出せず、前記第２の磁気吸着素子は、前記第２の側面から突出していない、
携帯電源装置。
【請求項１２】
請求項１０又は１１に記載の携帯電源装置であって、
前記携帯電源装置に保持される前記携帯端末の側面に対応して設けられた導電接点と相互に電気的に接続され、前記携帯端末から前記携帯電源装置へのデータ送信を行うと共に、前記携帯電源装置から前記携帯端末へ電力を供給するための、前記第１の側面に設けられた第１の導電接点と、前記第２の側面に設けられた第２の導電接点と、を備えた、
携帯端末装置。
【請求項１３】
請求項１２に記載の携帯電源装置であって、
前記第1の導電接点及び前記第２の導電接点の少なくとも１つは、当該接点が設けられている側面に対して垂直方向に移動可能なよう、弾性材料で形成されている、あるいは、バネによって付勢されている、
携帯電源装置。
【請求項１４】
請求項１３に記載の携帯電源装置であって、
前記第１の導電接点は、複数の弓形金属板にて形成されており、
前記第２の導電接点は、前記第２の側面内に凹んで形成されており、
前記第１の導電接点と前記第２の導電接点とが、前記携帯電源装置によって保持される前記携帯端末の側面に対応して設けられた導電接点と電気的に接続したときに、前記第１の導電接点を当該第１の導電接点が配置されている側面に対して垂直な方向に変形させることによって、前記携帯電源装置の側面と前記携帯端末の側面とが互いに整列されて接合される、
携帯電源装置。
【請求項１５】
請求項１２に記載の携帯電源装置であって、
前記第１の導電接点および前記第２の導電接点のうちの少なくとも１つが、伸長位置と収縮位置との間で移動可能なアクティブ接点として形成され、
前記アクティブ接点は、前記伸長位置にあるときに、当該アクティブ接点が配置された側面から突出する、
携帯電源装置。
【請求項１６】
請求項１５に記載の携帯電源装置であって、
前記アクティブ接点が位置する側面に、当該アクティブ接点を収容するための凹部と、当該凹部を塞ぐための着脱可能な接点カバーと、を備えた、
携帯電源装置。
【請求項１７】
請求項１５に記載の携帯電源装置であって、
前記第１の側面は、第１の溝を有し、前記第１の導電接点は、前記第１の溝に回転可能に設けられており、
前記第１の導電接点は、前記携帯端末の側面に対応して設けられた導電接点と相互に電気的に接続するために、前記第１の溝の外に回転可能であり、
前記第１の導電接点は、前記携帯端末の側面に対応して設けられた導電接点との電気的な接続を切断するために、前記第１の溝内に回転可能である、
携帯電源装置。
【請求項１８】
１つ以上の携帯端末と、請求項１乃至１７のいずれかに記載の１つ以上の携帯電源装置とを、前記携帯電源装置の前記表示画面の幅方向及び／又は長さ方向に接合して構成される結合端末装置であって、
前記携帯端末は、前記携帯電源装置に当該携帯電源装置の表示画面に表示する表示データを提供し、
前記携帯電源装置の前記蓄電池は、前記携帯端末に電力を供給する、
結合端末装置。
【請求項１９】
請求項１８に記載の結合端末装置であって、
結合方向において、前記携帯電源装置の前記表示画面は、前記携帯端末の表示画面と同じ幅または長さを有する、
結合端末装置。
【発明の詳細な説明】
【技術分野】
【０００１】
本発明は、携帯端末に関し、特に、携帯電源装置と、当該携帯電源装置と携帯端末とを結合することによって形成された結合端末装置に関する。
【背景技術】
【０００２】
従来より、携帯電話の表示画面の縦横比は、一般的に１６：９または１６：１０と規定されている。できるだけ表示画面上で片手でのタッチ操作を実現するために、表示画面の表示領域は一般的に小さく、例えば、３．５インチの表示画面であり、大きい表示画面は人間の要求を満足するものではない。
【発明の概要】
【発明が解決しようとする課題】
【０００３】
しかしながら、表示画面の表示領域が、例えば５．５インチのように十分に大きく設定されている場合には、上記の縦横比によって規定されるため、表示画面の幅も大きくなり、片手操作が一般的に困難となる原因となる。
【０００４】
また、上記の縦横比に基づいて設計された表示画面においては、Ａ４用紙サイズで出版されたものを表示する場合には、表示画面の周囲に黒い枠が残ることが多い。このため、表示効果に影響を与えるだけでなく、表示画面を最大限利用できていない。
【０００５】
さらに、携帯電話は、新商品の出現が非常に早く、携帯電話ユーザは携帯電話をより速い周期で変更する。そして、古い携帯電話を廃棄すると、膨大な資源の浪費と環境汚染を引き起こす可能性があり、現在の市場ではまだ良い解決策は見つかっていない。携帯電話のリサイクル方法は、一般に廃棄携帯電話の再生コストが高くなるばかりでなく、リサイクル時や再生時の二次的な汚染を引き起こすような方法が採用されている。
【０００６】
また、携帯電話の大画面化に伴い、消費電力も増加している。一方で、携帯電話の厚みが薄くなる傾向にあり、その結果、携帯電話の電池をあまり大きくすることができない。したがって、現在の携帯電話には、低電力の問題が一般的に存在する。
【課題を解決するための手段】
【０００７】
本願発明者は、先行技術を確認する前に、相互に無関係のように見える上記のいくつかの問題点を認識し、特定構造の移動端末を設計することによって一様に解決できること見出した。
【０００８】
本発明の一形態における、複数の携帯端末を結合端末装置に結合するための前記携帯端末は、
表示画面と、
前記表示画面の対向する２つの側面に位置し、互いに平行な平面である、第１の側面及び第２の側面と、
前記第１の側面に設けられた第１の磁気吸着素子と、前記第２の側面に設けられた第２の磁気吸着素子と、を備え、
前記第１の磁気吸着素子と前記第２の磁気吸着素子とは、一の前記携帯端末と他の前記携帯端末とが結合されるときに、一の前記携帯端末の前記第１の側面の前記第１の磁気吸引素子と、他の前記携帯端末の前記第２の側面の前記第２の磁気吸着素子とが互いに引き合うことにより、一の携帯端末の前記第１の側面と他の携帯端末の前記第２の側面とが互いに位置合わせされて接合される。
【０００９】
好ましくは、前記第１の磁気吸着素子は、前記第１の側面から突出せず、前記第２の磁気吸着素子は、前記第２の側面から突出していない。
【００１０】
好ましくは、前記携帯端末は、
前記第１の側面に配置された第１の導電接点と、
前記第２の側面に配置された第２の導電接点と、
前記第１の導電接点及び第２の導電接点は、一の前記携帯端末の前記第１の側面及び他の前記携帯端末の前記第２の側面が互いに一直線上に結合されるとき、一の前記携帯端末の前記第１の側面の前記第１の導電接点と、他の前記携帯端末の前記第２の側面の前記第２の導電接点と、が互いに電気的に接続する。
【００１１】
好ましくは、前記第１の導電接点及び前記第２の導電接点の少なくとも一方は、当該接点が設けられた側面に対して垂直な方向に移動可能なよう、弾性材料で形成されている、あるいは、バネにて付勢されている。
【００１２】
好ましくは、前記第１の導電接点は、複数の弓形金属板で形成され、前記第２の導電接点は前記第２の側面に凹んで形成されている。そして、一の前記携帯端末の前記第１の導電接点と他の前記携帯端末の第２の導電接点とが、互いに当接して、前記第１の導電接点が配置されている側面に対して垂直な方向に前記第１の導電接点を変形させることにより、一の前記携帯端末の前記第１の側面と他の前記携帯端末の第２の側面とを、互いに一直線上に結合させる。
【００１３】
好ましくは、前記第１の側面は第１の溝を有し、前記第１の導電接点は前記第１の溝に回転可能に装備されており、前記第１の導電接点は、他の前記携帯端末の前記第２の導電接点に接続するように前記第１の溝の外に回転可能であり、前記第１の導電接点は、他の前記携帯端末の前記第２の導電接点との接続を切断するよう前記第１の溝内に回転可能である。
【００１４】
好ましくは、前記第１の導電接点および前記第２の導電接点の少なくとも１つは、伸張位置と収縮位置との間で移動可能なアクティブ接点として形成され、前記アクティブ接点は、前記伸長位置にあるときに、当該アクティブ接点が配置された側面から突出する。
【００１５】
好ましくは、前記アクティブ接点が位置する側面に、当該アクティブ接点を収容するための凹部を備える。
【００１６】
好ましくは、前記携帯端末は、
前記凹部を塞ぐための着脱可能な接点カバーを備え、
前記接点カバーが前記凹部を塞ぐと、当該接点カバーは当該接点カバーが配置されている側面と同一平面上に位置する。
【００１７】
好ましくは、前記携帯端末は、
前記第1の側面および／または第２の側面に配置された手動操作キーを備え、当該手動操作キーは、当該手動操作キーが装備されている側面の第２の溝内に形成され、当該手動操作キーの外形が、装備されている側面を超えないよう構成されている。
【００１８】
好ましくは、前記携帯端末は、全体として丸みを帯びた角部がない矩形である。
【００１９】
好ましくは、前記表示画面の幅方向に沿って配置された左側の磁気吸着素子及び右側の磁気吸着素子は、前記携帯端末の背面側に配置される。そして、左側及び右側の磁気吸着素子は、一の携帯端末と他の携帯端末とが背中合わせで隣接すると、一の携帯端末の左側の磁気吸着素子及び右側の磁気吸着素子と、他の携帯端末の左側の磁気吸着素子と右側の磁気吸着素子とが相互に引き合わせられる。その結果、一の携帯端末の背面と他の携帯端末の背面とが整列されて結合される。
【００２０】
好ましくは、前記表示画面は実質的に矩形であり、Ｌ：Ｗ≧２．５に設定され、Ｌは前記表示画面の長さであり、Ｗは前記表示画面の幅である。
好ましくは、Ｌ：Ｗ＝（２０５〜２１５）：［（２９０〜３０４）／ｎ］であり、ｎは正の整数であり、ｎ≧４である。
好ましくは、ｎ≦６である。
好ましくは、ｎは４または５である。
好ましくは、１５０ｍｍ≧Ｗ≧３０ｍｍであり、例えば、９０ｍｍ≧Ｗ≧５０ｍｍである。
好ましくは、Ｌは２０５〜２１５ｍｍである。
好ましくは、Ｗは５８〜６１ｍｍであり、例えば、Ｗは６０ｍｍであり、Ｌは２１０ｍｍである。
好ましくは、Ｗは７２〜７６ｍｍであり、例えば、Ｗは７４ｍｍであり、Ｌは２１０ｍｍである。
【００２１】
好ましくは、前記表示画面は実質的に長方形であり、Ｌは前記表示画面の長さであり、Ｗは前記表示画面の幅であり、Ｌ：Ｗ＝（２０５〜２１５）：［（２９０〜３０４）／ｎ］であり、ｎは正の整数であり、ｎ≧２である。
好ましくは、ｎは２または３である。
好ましくは、Ｌは２０５〜２１５ｍｍである。
【００２２】
好ましくは、前記表示画面の幅方向において、前記携帯端末の互いに対向する２辺は、フレームなし又は狭いフレームに形成されて、当該狭いフレームの幅は１ｍｍ未満である。
【００２３】
好ましくは、前記表示画面の長さ方向において、互いに対向して配置された前記携帯端末の２つの辺のうちの少なくとも１つが、フレームなし又は狭いフレームで形成されている。
【００２４】
本発明の他の態様における結合端末装置は、Ｎ個の同一の携帯端末を前記表示画面の幅方向および／または長さ方向に接続して形成される。そして、Ｎ個の携帯端末の表示画面は、全体として単一の矩形の画面として形成される。
【００２５】
好ましくは、上記Ｎの値は上記ｎと同じである。
【００２６】
本発明はさらに、前記携帯端末の表示画面が略矩形であり、その長さまたは幅の少なくとも一方が２０５〜２１５ｍｍである。
【００２７】
また、本発明である結合端末装置は、複数の携帯端末を一列に結合して形成される。複数の携帯端末の各表示画面は略長方形であり、同一サイズの長さまたは幅を有する。これにより、複数の携帯端末は、同一サイズの長さ又は幅に沿って結合されて、全体として単一の矩形の画面が形成される。同じサイズの長さまたは幅は２０５〜２１５ｍｍであり、単一の長方形の画面の幅を形成し、単一の長方形の画面の長さは２９０〜３０４ｍｍである。
【００２８】
本発明の一形態である表示画面を備えた携帯電源装置は、
表示画面と、
前記表示画面の下に配置された蓄電池と、
前記表示画面及び前記蓄電池を保持する筐体と、を備え、
前記携帯電源装置は、前面及び背面を有する平板形状であり、
前記表示画面は、前記前面に位置すると共に、当該前面の少なくとも一部を形成し、
前記表示画面の表示領域の面積と前記蓄電池の占有領域の面積との両方が、前記前面の面積の７０％以上である。
【００２９】
好ましくは、前記携帯電源装置は、略長方形の平板形状である。
好ましくは、前記表示画面の表示領域の面積は、前記前面の面積の７５％、８０％、８５％、９０％または９５％以上である。
好ましくは、前記蓄電池の占有領域の面積が、前記前面の領域の７５％、８０％、８５％、９０％または９５％以上である。
【００３０】
好ましくは、前記携帯電源装置は、前記蓄電池を充電するための外部電力を受け取る機能、前記表示画面および外部装置に電力を供給する機能、及び、前記表示画面に表示するために前記外部装置から表示データを受信する機能、を備える。
好ましくは、前記外部装置は携帯端末である。
好ましくは、前記筐体は、前記背面に前記携帯端末を保持する保持構造を有する。
好ましくは、前記保持構造は、前記携帯端末を保持するための留め具を有する。
【００３１】
好ましくは、前記保持構造は、前記背面に隣接して配置され、前記携帯端末に配置された対応する背面側の磁気吸着素子を吸着して、当該携帯端末を背面側で保持するための背面側磁気吸着素子を備える。
【００３２】
好ましくは、携帯電源装置は、
前記携帯電源装置の２つの側面に位置する第１の側面と第２の側面とは、互いに平行な平面であり、
前記携帯端末の側面に配置された対応する側面側の磁気吸着素子を吸着するための、前記第１の側面に設けられた第１の磁気吸着素子と、前記第２の側面に設けられた第２の磁気吸着素子と、を備え、
前記携帯電源装置は、当該携帯電源装置のいずれかの側面に、前記携帯端末を吸着することによって当該携帯端末を保持する。
【００３３】
好ましくは、前記第１の磁気吸着素子は、前記第１の側面から突出せず、前記第２の磁気吸着素子は、前記第２の側面から突出していない。
【００３４】
好ましくは、携帯電源装置は、
前記携帯電源装置に保持される前記携帯端末の側面に対応して設けられた導電接点と相互に電気的に接続され、前記携帯端末から前記携帯電源装置へのデータ送信を行い、前記携帯電源装置から前記携帯端末へ電力を供給するための、前記第１の側面に設けられた第１の導電接点と、前記第２の側面に設けられた第２の導電接点と、を備えた、
【００３５】
好ましくは、前記第１の導電接点及び前記第２の導電接点の少なくとも１つは、当該接点が設けられている側面に対して垂直方向に移動可能なよう、弾性材料で形成されている、あるいは、バネによって付勢されている。
【００３６】
好ましくは、前記第１の導電接点は、複数の弓形金属板にて形成されており、前記第２の導電接点は、前記第２の側面内に凹んで形成されており、
前記第１の導電接点と前記第２の導電接点とが、前記携帯電源装置によって保持される前記携帯端末の側面に対応して設けられた導電接点と電気的に接続したときに、前記第１の導電接点を当該第１の導電接点が配置されている側面に対して垂直な方向に変形させることによって、前記携帯電源装置の側面と前記携帯端末の側面とが互いに整列されて接合される。
【００３７】
好ましくは、前記第１の側面は第１の溝を有し、前記第１の導電接点は前記第１の溝に回転可能に接続され、前記第１の導電接点は、前記携帯端末の側面に対応して設けられた導電接点と相互に電気的に接続するよう前記第１の溝の外に回転可能であり、前記第１の導電接点は、前記携帯端末の側面に対応して設けられた導電接点との電気的な接続を切断するよう前記第１の溝内に回転可能である。
【００３８】
好ましくは、前記第１の導電接点および前記第２の導電接点のうちの少なくとも１つが、伸長位置と収縮位置との間で移動可能なアクティブ接点として形成され、前記アクティブ接点は、前記伸長位置にあるときに、当該アクティブ接点が配置された側面から突出する。
【００３９】
好ましくは、前記アクティブ接点が位置する側面に、
前記アクティブ接点を収容するための凹部と、
前記凹部を塞ぐための着脱可能な接点カバーと、を備える。
【００４０】
本発明は、さらに、上述した１つ以上の携帯端末と少なくとも１つの携帯電源装置とを、前記携帯電源装置の前記表示画面の幅方向及び／又は長さ方向に接合して構成される結合端末装置を提供する。そして、前記携帯端末は、前記携帯電源装置に当該携帯電源装置の表示画面に表示する表示データを提供し、前記携帯電源装置の前記蓄電池は、前記携帯端末に電力を供給する。
【００４１】
好ましくは、結合方向において、前記携帯電源装置の前記表示画面は、前記携帯端末の表示画面と同じ幅または長さを有する。
【発明の効果】
【００４２】
上記構成によると、まず、片手操作に適した幅に設定された表示画面の携帯端末を互いに結合して結合端末装置を形成できる。そして、結合という手段を用いて結合端末装置を形成することによって、大きい表示領域に対する人々の要求を満たすことができる。
【００４３】
また、携帯端末を結合しているため、適切な携帯端末のサイズと結合数を設定することにより、結合により形成された結合端末装置の表示画面を、Ａ４用紙比率とすることができる。このような結合端末装置の表示画面により、出版されたドキュメントを表示するときに黒枠を除去することができる。
【００４４】
また、本発明では、古い携帯端末を接合して結合端末装置を構成することで、古い携帯端末のリサイクル時及び再生時に発生する二次汚染の問題を解決することができる。
【００４５】
また、本発明によると、携帯端末の表示画面の対向する２辺、例えば、左右及び／または上下に、相互に引き寄せ合う第１の磁気吸着素子及び第２の磁気吸着素子が設けられる。これにより、一の携帯端末の第１の磁気吸着素子／第２の磁気吸着素子と、他の携帯端末の第２の磁気吸着素子／第１の磁気吸着素子と、が互いに引き寄せあうこととなり、携帯端末間で相互に結合された状態を構成できる。第１の磁気吸着素子と第２の磁気吸着素子とにより、携帯端末に結合用の特別な溝を設ける必要がなくなり、携帯端末を使用する手触り感を維持することができる。
【００４６】
また、表示画面の第１の側面と第２の側面は互いに平行であり、一方の携帯端末と他方の携帯端末とを側面で接合することができる。複数の携帯端末が結合された結合端末装置の表示画面は同じ平面上にあるので、表示効果と見た感覚が改善される。
【００４７】
さらに、本発明の携帯端末は、背面に近い側に左右の磁気吸着素子を設けられている場合には、異なる携帯端末背面を相互に引き付けることができる。すなわち、異なる携帯端末を表示画面が位置する方向で結合端末装置に結合させることができ、結合端末装置を複数の携帯端末に分解したときには、一対の携帯端末を左右の磁気吸着素子を介して一緒に引き寄せることができる。このため、携帯端末の持ち運びが容易になるばかりでなく、携帯端末の紛失を抑制できる。なお、背面とは、携帯端末の背面、または、携帯端末の内部に位置する側面及び携帯端末の背面に近い側をいう。
【００４８】
さらに、本発明によれば、表示比が従来の１６：９または１６：１０の表示画面（すなわち、縦横比が１．７８または１．６）と比較して、表示画面の縦横比が２．５以上に設定される。このため、本発明の表示画面は、細長い形状である。したがって、本発明の表示画面は、同じ幅でより大きな表示領域を有する。すなわち、同じ表示領域では、本発明表示画面は、幅を比較的小さくすることができ、人の片手操作を容易にすることができる。
【００４９】
また、表示画面が従来に比べて大幅に長くなることで、ユーザの片手操作が容易になり、複数の表示画面を１列に結合した形態で、対応するＡ４用紙比率を実現することが容易となる。但し、本発明では、携帯端末を一列に結合することに限定されない。
【００５０】
また、あるユーザが携帯電話の更新により、本発明の表示画面を有する複数の携帯端末を保持した場合には、これらの携帯電話で結合を行って結合端末装置を形成することができる。本発明の表示画面を有する携帯端末がユーザによって不要とされるときは、一般的には、ＣＰＵあるいは記憶容量の不足といった表示画面とは無関係な理由によるであろう。
【００５１】
なお、本発明で提案されているような特定の縦横比の表示画面は、旧式の携帯電話機に対応する値である。旧式の携帯電話機を含む複数の携帯電話機が結合端末装置に結合された場合には、古い携帯電話の表示画面の表示機能が主に使用され、結合端末装置の他の機能は、結合された端末装置の性能の良い新しい携帯端末によって提供することができる。
【００５２】
特に、表示画面の主な機能は、ユーザに読書するための文書を提供することであり、結合端末装置の表示画面が、適切な数の携帯端末を結合して実質的にＡ４用紙比率であれば、キャリアとしてＡ４比率の出版物を表示中に生じる黒枠問題を実質的に排除することができる。
【００５３】
これにより、結合された表示画面上でユーザによるＡ４比率の文書の読み取りが容易になり、古い携帯電話の利用価値をより顕著に改善することができる。
【００５４】
本発明に従って提供される携帯電源装置は、一般に平板形状であり、蓄電池に占有される領域の面積が前面面積の７０％以上であるため、蓄電池の厚さを変えることなく蓄電池の容積を増加させることができ、携帯電話の拡張された充電サービスが提供される。また、表示画面の表示領域の面積は、前面の面積の７０％以上であり、本発明の携帯電源装置は大きな表示画面を有するので、携帯電源装置が携帯電話などの携帯端末に接続されると、携帯電源装置の表示画面と携帯端末の表示画面とで同時に表示を行うことができる。
【００５５】
携帯電源装置の表示画面が片手操作に適した幅に設定されている場合であっても、携帯端末と結合するという方法をとることで結合端末装置を形成することができ、大きい表示領域に対する人々の要求は満たされる。
【００５６】
さらに、携帯電源装置を結合することができるため、結合されることによって形成された結合端末装置の表示画面は、携帯端末の適切な数とサイズを設定することによりＡ４用紙比率となる。そして、そのような結合端末装置は、出版物の文書を表示するときに黒枠をなくすことができる。
【００５７】
本発明の一実施形態では、携帯電源装置と携帯端末が結合されると、一方では、携帯端末に対する電力供給が行われ、他方では、携帯電源装置の表示画面と携帯端末の表示画面とが一緒に、コンテンツを表示するＡ４用紙比率に形成される。
【００５８】
以下には、図面を参照しながら、本発明の具体的な実施例を詳しく説明し、当業者にとって本発明の上記目的、利点及び特徴及び他のものをより明確にする。
【図面の簡単な説明】
【００５９】
以下には、図面を参照しながら、限定的な形態ではなく、模式的な形態で本発明の幾つか具体的な実施例を詳細に説明する。図面には、同じ部分や類似な部分に同じ符号を付ける。これらの図面を必ず実際の比率に従って描く必要がないことは、当業者が理解すべきである。
【図１】本発明の一実施形態における携帯端末の構成概略図である。
【図２】本発明の一実施形態における結合端末装置の概略図であり、携帯端末が２台の場合を示す。
【図３】本発明の一実施形態における結合端末装置の概略図であり、携帯端末が３台の場合を示す。
【図４】本発明の一実施形態における結合端末装置の概略図であり、携帯端末が４台の場合を示す。
【図５】本発明の一実施形態における結合端末装置の概略図であり、携帯端末が５台の場合を示す。
【図６】本発明の一実施形態における第１の導電接点と第２の導電接点との概略図である。
【図７】本発明の一実施形態における第１の導電接点と第２の導電接点との概略図である。
【図８】本発明の一実施形態における左右の磁気吸着素子を備えた携帯端末の構造概略図である。
【図９】本発明の一実施形態において、背面向き合わせ方向に、左右の磁気吸着素子を備えた２台の携帯端末を移動させている状態を示す概略図である。
【図１０】図９の２つの携帯端末の背面向き合わせ後の状態を示す構造概略図である。
【図１１】本発明の一実施形態における携帯電源装置の構造概略図である。
【図１２】図１１に示す携帯電源装置と携帯端末との背面向き合わせ後の状態を示す構造概略図である。
【図１３】本発明の一実施形態における携帯電源装置の構造概略図である。
【図１４】図１３に示す携帯電源装置と携帯端末との背面向き合わせ後の状態を示す構造概略図である。
【発明を実施するための形態】
【００６０】
図1に示すように、本発明では携帯端末２０を提供する。携帯端末２０は、図１乃至図４のうちの１つに示された結合端末装置３０のために使用されるという点で、先行技術とは異なる。図２乃至図５は、複数の携帯端末２０を結合することによって形成された結合端末装置３０を示す。
【００６１】
図１に示すように、上述した結合を容易にするために、携帯端末２０は、全体として丸みのある角のない矩形である。結合端末装置３０を構成する携帯端末２０は、同一であってもよく、異なっていてもよいが、携帯端末２０は全て以下のように構成される。つまり、携帯端末２０は、表示画面１０と、相互に反対側に位置する表示画面１０の２つの側面に位置し、互いに平行な平面である第１の側面ＳＬ及び第２の側面ＳＲと、を有する。図１では、第１の側面ＳＬを左側面、第２の側面ＳＲを右側面としているが、他の実施形態では、第１の側面ＳＬおよび第２の側面ＳＲを上側面および下側面としてもよい。さらには、第１の側面ＳＬおよび第２の側面ＳＲは、左側面および右側面であることはもちろんのこと、併せて上側面および下側面であってもよい。
【００６２】
第１の側面ＳＬには、第１の磁気吸着素子（図示せず）が配置され、第２の側面ＳＲには第２の磁気吸着素子（図示せず）が配置される。第１および第２の磁気吸着素子は、鉄、コバルト、ニッケル、さらには、鉄・コバルト・ニッケルを引き付けることができる磁性材料である。
【００６３】
第１および第２の磁気吸着素子は、一の携帯端末と他の携帯端末とが結合されるときに、一の携帯端末の第１の側面ＳＬに位置する第１の磁気吸着素子と、他の移動端末の第２の側面ＳＬに位置する第２の磁気吸着素子とが、相互に引き寄せられる。これにより、一の携帯体端末の第１の側面と、他の携帯端末の第２の側面とが相互に直線上に結合される。
【００６４】
上記方法によると、一方の携帯端末の第１の磁気吸着素子／第２の磁気吸着素子と、他方の携帯端末の第２の磁気吸着体／第１の磁気吸着体とが、相互に引き寄せられることとなり、それによって、携帯端末間が互いに接合された状態が形成される。第１の磁気吸着素子と第２の磁気吸着素子により、携帯端末２０に接合用の特別な溝を設ける必要がなく、携帯端末を使用する際の手触り感を維持することができる。
【００６５】
また、表示画面１０／携帯端末２０の第１の側面ＳＬと第２の側面ＳＲとは相互に平行であり、一方の携帯端末が他方の携帯端末と側面で結合される。複数の携帯端末２０からなる結合端末装置３０の画面は、同一平面上に配置され、表示効果や視認性を向上させることができる。
【００６６】
本発明の一実施形態では、第１の磁気吸着素子は、第１の側面ＳＬから突出しておらず、第２の磁気吸着素子も第２の側面ＳＲから突出していない。
【００６７】
例えば、２つのケースがあり、第１のケースでは、第１の磁性吸着素子が第１の側面ＳＬの一部に属しており（または、第１の磁性吸着素子が第１の側面ＳＬと同一平面上にある）、第２の磁性吸着素子が第２の側面ＳＲの一部に属している（または、第２の磁性吸着素子が第２の側面ＳＲと同一平面上にある）。そして、結合時には、異なる携帯端末の第１の側面ＳＬと第２の側面ＳＲとが直接接触して互いに引き合う。第２のケースでは、第１の磁気吸着素子が第１の側面ＳＬの内部に配置され、第２の磁気吸着素子が第２の側面ＳＲの内部に配置される。第１の磁気吸着素子と第２の磁気吸着素子とは、相互に引き寄せられ、第１の磁気吸着素子が第２の磁気吸着素子と接触していない状態で、第１の側面ＳＬと第２の側面ＳＲとが互いに接触して結合されることとなる。
【００６８】
本発明の一実施形態では、携帯端末２０は、さらに、第１の側面に配置された第１の導電接点と、第２の側面に配置された第２の導電接点と、を備えている。
【００６９】
第１及び第２の導電接点は、位置的に以下のように配置されている。一の携帯端末２０の第１の側面と他の携帯端末２０の第２の側面とが互いに一直線上に結合されると、一の携帯端末２０の第１の側面の第１の導電接点と、他の携帯端末２０の第２の側面の第２の導電接点とは、相互に電気的に接続される。したがって、第１の導電接点および第２の導電接点を介して、異なる携帯端末間で、充放電動作及びデータ送信動作が実行可能となる。
【００７０】
単一の携帯端末２０には、第１の導電接点または第２の導電接点に対応するベースを配置することができる。ベースは、充電またはデータ伝送のために第１の導電接点または第２の導電接点と接触される。
【００７１】
なお、複数の携帯端末２０が結合端末装置３０を形成するときには、第１の磁気吸着素子と第２の磁気吸着素子とにより、様々な携帯端末２０間の接合位置が相互に引き合う。このとき、異なる携帯端末２０間の第１及び第２の導電接点がしっかりと接続され、充電およびデータ伝送の安定性を保証する。
【００７２】
ここで、上述したように、第１の導電接点と第２の導電接点とが直接接続されており、強固に接続されていると、第１の導電接点と第２の導電接点に損傷が生じる可能性がある。そこで、本発明では、第１の導電接点および第２の導電接点の少なくとも一方を、側面に対して垂直方向に一定量移動するよう、弾性材料で構成したり、ばねによって付勢するよう構成してもよい。ある程度の移動量があるため、第１の導電接点と第２の導電接点との接触を確実に行いつつ、第１の導電接点および第２の導電接点の損傷も防止することができる。
【００７３】
図６に、本発明における第１の導電接点および第２の導電接点の設計方式を示す。図６において、第１の導電接点４１は、複数の弓形金属板からなる。第２の導電接点４２は、非常に薄い金属板であり、その外縁は第２の側面ＳＲと同一平面上にあるが、全体として第２の側面ＳＲの内側に凹んでいる。
【００７４】
図６に示すように、一方の携帯端末２０の第１の導電接点４１と他方の携帯端末の第２の導電接点４２とが互いに接近し、第１の導電接点４１と第２の導電接点４２が最終的に接触する。すると、弓形金属板からなる導電接点４１は、第１の側面ＳＬの位置で当該第１の側面ＳＬに対して垂直な方向に変形し、第２の側面ＳＲと第１の側面ＳＬとが一直線上に結合される。図６において、実線部分の第１の導電接点４１は変形前の第１の導電接点４１を示し、点線部分の第１の導電接点４１は変形した第１の導電接点４１を示す。
【００７５】
図７に、本発明における第１の導電接点および第２の導電接点の別の設計方式をさらに示す。図７において、第１の側面ＳＬは、第１の溝４３と、当該第１の溝４３内に回転可能に連結された第１の導電接点４１と、を備えている。例えば、第１の導電接点４１は、第１の溝４３の２つの壁面に回転軸を介して回転可能に連結されている。
【００７６】
図７の実線部分に示すように、第１の導電接点４１は、第１の溝４３の外へ回転し、他方の携帯端末の第２の導電接点４２に接触することができる。第２の導電接点４２は、金属製の板バネからなる。また、図７の点線部分に示すように、第１の導電接点４１は、第１の溝４３の内部に回転し、他方の携帯端末の第２の導電接点４２との接触を切断することができる。
【００７７】
上述した第１の導電接点４１と第２の導電接点４２の２つの構造においては、第１の導電接点４１が伸長位置と収縮位置との間を可動可能なアクティブ接点として形成されている。アクティブ接点が伸長位置にあるときには、当該アクティブ接点が設けられている側面から突出した状態となる。
【００７８】
他の実施形態では、第２の導電接点４２をアクティブ接点として形成することもできる。図６及び図７に示すような第２の導電接点４２は、内側に凹んだ弓形の金属板として形成されている。第１の導電接点４１と第２の導電接点４２とが両方ともアクティブ接点である場合には、両方の耐ダメージ性能をさらに高めることができる。
【００７９】
上述した第１の導電接点４１と第２の導電接点４２の２つの構造においては、アクティブ接点が位置する側面には、アクティブ接点を収容するための凹部、すなわち第１の溝４３が設けられている。
【００８０】
他の実施形態では、アクティブ接点である第１の導電接点４１または第２の導電接点４２が、配置された側面に対して手動操作によって伸縮するときは、凹部は貫通孔形状の状態であり、第１の導電接点４１または第２の導電接点４２は、貫通孔形状の凹部を介して伸張あるいは縮小する。
【００８１】
上記凹部には接点カバーがさらに配置される。接点カバーは、凹部を塞ぐために当該凹部に着脱自在に接続される。そして、接点カバーが凹部を塞ぐときには、当該接点カバーは、装備されている側面と同一平面上に位置する。これにより、接点カバーの構造が凹部内の部品の防塵機能を果たし、携帯端末２０を使用する手触り感にも影響を与えない。
【００８２】
上述したように、第１の側面ＳＬまたは第２の側面ＳＲが当接して接合される。このため、携帯端末のキーは、第１の側面ＳＬまたは第２の側面ＳＲに可能な限り配置されない。しかしながら、携帯端末２０の４つの側面すべてに他の携帯端末２０が結合される場合には、第１の側面ＳＬまたは第２の側面ＳＲに第２の溝を設け、第２の溝に手動操作キーが配置される。手動操作キーの外形は、配置されている側面を超えてない。もちろん、一実施形態においては、第２の溝は、第１の溝と同じであってもよい。
【００８３】
図８は、本発明の一実施形態における、左右の磁気吸着素子を備えた携帯端末の構造概略図であり、特に背面側の概略図である。図８では、携帯端末２０の背面５０側には、表示画面の幅方向に沿って左側の磁気吸着素子及び右側の磁気吸着素子が配置されており、図８における左右の磁気吸着素子は磁石６０である。
【００８４】
他の実施形態では、左右の磁気吸着素子を異なる構成とすることができる。例えば、左側の磁気吸着素子は磁石であり、右側の磁気吸着素子は鉄製の素子である。
【００８５】
このようにして、図９及び図１０に示すように、他の携帯端末が一の移動端末２０と背中合わせに当接すると、一の携帯端末の磁石６０のＮ極及びＳ極と、他の携帯端末の磁石のＳ極及びＮ極が互いに引き合うことができる。その結果、２つの携帯端末の背面は、互いに整列して結合される。
【００８６】
以上のように、異なる携帯端末を、表示画面１０が位置する方向に結合端末装置３０として結合することができる。結合端末装置３０が複数の携帯端末に分解されると、携帯端末はマグネットを介して互いに引き寄せられ、携帯端末の持ち運びを容易にするだけでなく、携帯端末を紛失するリスクを低減できる。
【００８７】
図４は、本発明の一実施形態における結合端末装置３０の構造概略図である。図４に示す結合端末装置３０は、４つの移動端末２０が結合されることによって形成されており、携帯端末２０の２つの長辺がフレームなしで形成されている。
【００８８】
図５に示すように、本発明における結合端末装置３０は、表示画面１０の幅方向に５つの携帯端末２０を接合して形成されている。様々な携帯端末２０が全て整列して結合されており、表示画面１０の幅Ｌは、結合端末装置の幅Ｗ’となる。
【００８９】
図５において、携帯端末２０は携帯電話であり、他の実施形態では、携帯端末２０はタブレットコンピュータであってもよい。また、図４および図５に示すように、結合端末装置の長さＬ’および幅Ｗ’は、ともに２９７ｍｍおよび２１０ｍｍである。すなわち、図４の携帯端末２０の幅Ｗは５９．４ｍｍ、長さＬは２１０ｍｍ、Ｌ：Ｗ＝３．５であり、図５の携帯端末２０の幅Ｗは７４．２５ｍｍ、長さＬは２１０ｍｍ、Ｌ：Ｗ＝２．８である。図４及び図５の結合端末装置により出版文書を表示すると、全画面で黒枠無しで表示を行うことができるだけでなく、フォントサイズは紙媒体のサイズと完全に同じとなる。
【００９０】
上記図４及び図５に示す結合端末装置は、狭フレームの携帯端末を用いることもでき、表示画面１０の幅方向に沿って結合することにより形成することができる。例えば、狭フレームは、１ｍｍ未満であり、もちろん、フレームの幅は要件に応じて設定することができる。
【００９１】
本発明の概念によれば、図４及び図５に示す携帯端末２０は、表示画面１０の幅方向の両側に、フレームレスに形成されたものが優先的に使用される。従って、種々の携帯端末２０の結合位置は、フレームレスの場合には読書に実質的に影響しないが、表示画面１０の幅方向の２辺の幅が大きくなるにつれて徐々に影響が生じることとなる。
【００９２】
図１に戻り、図１に示す携帯端末２０は、表示画面１０を有し、表示画面１０の幅方向において、互いに対向して配置された携帯端末２０の２つの辺がフレームレス構造にて形成されている。
【００９３】
図１において、ｘ方向は表示画面の長さ方向であり、ｙ方向は表示画面の幅方向である。図１〜５に示すように、表示画面１０は実質的に矩形である。表示画面１０は、Ｌ：Ｗ≧２．５とすることができ、Ｌは表示画面の長さであり、Ｗは表示画面の幅である。このため、本発明のいくつかの実施形態では、表示画面の幅方向が細長くなっている。したがって、同じ幅の場合には、表示画面１０の表示面積が大きくなる。つまり、同じ表示領域である場合には、表示画面１０の幅を比較的小さくすることができ、人の片手操作を容易にすることができる。
【００９４】
また、電話ユーザの片手操作を容易にするような表示画面を１列に複数結合させた形態で、Ａ４用紙比率を実現することは容易である。
【００９５】
本発明の一実施形態によれば、長方形の表示画面の長さと幅の比は、
Ｌ：Ｗ＝（２０５〜２１５）：［２９０〜３０４／ｎ］・・・（１）
ここで、ｎは正の整数であり、ｎ≧２である。
【００９６】
このような構成により、ｎ台の携帯端末２０が結合された結合端末装置３０の長さと幅の比は、（２９０〜３０４）／（２０５〜２１５）、すなわち携帯端末２０が結合された結合端末装置３０の表示領域の長さと幅の比は、２９７：２１０にほぼ等しい。これにより、表示画面１０では、フォントサイズによらず全画面で黒線なしに出版文書を表示することができる。
【００９７】
本発明の一つの好ましい実施形態においては、ｎは６以下に設定される。さらには、ｎの値が４または５である場合、表示画面１０の表示面積がより大きいだけでなく、表示画面１０の長さが長すぎることが原因で携帯端末２０の使用に影響を与えることもない。
【００９８】
本発明の好ましい一実施形態では、Ｗは５８〜６１ｍｍ、Ｌは２０５〜２１５である。特に、Ｗを６０ｍｍである場合に、Ｌは２１０ｍｍであり、５つの携帯端末２０を組み合わせて、長さと幅の比が実質的に２９７：２１０となる結合端末装置３０を形成することができる。Ｗが７２〜７６ｍｍ、Ｌが２０５〜２１５ｍｍ、特に、Ｗが７４ｍｍ、Ｌが２１０ｍｍの場合、４つの携帯端末２０を組み合わせて、長さと幅の比が実質的に２９７：２１０となる結合端末装置３０を形成することができる。
【００９９】
本発明における表示画面１０と携帯端末２０によると、大きな表示領域を有し、片手操作用に特に好適である。これに加え、複数の携帯端末２０を結合して形成された結合端末装置３０は、その縦横比が実質的に２９７：２１０であるため、全画面において黒枠なしで出版文書を表示することができる。
【０１００】
なお、上記（１）式で説明した携帯端末の表示画面の縦横比の制限条件は、比較的細長い表示画面であるが（例えば、縦横比が２．５以上）、独立した制限条件として機能する。
【０１０１】
例えば、式（１）について、ｎの値は２または３であってもよい。このとき、縦横比は約１．４１と２．２１である。単一の表示画面はそれほど細長くは見えないが、Ａ４用紙比の単一表示画面に接合するには好適である。特に、このような表示画面を２つまたは３つ使用して実際にＡ４用紙のサイズとほぼ同じ大きさの表示画面に結合すると、かかる表示画面の長さＬは２０５〜２１５ｍｍとなる。
【０１０２】
さらに、Ａ４用紙の実際のサイズと実質的に同じ大きさの表示画面への結合を容易にするために、携帯端末の表示画面を長方形とし、その長さまたは幅を２０５〜２１５ｍｍとすることができる。複数の携帯端末が１つの行で結合端末装置３０に結合される場合、これらの携帯端末の長さまたは幅は同じサイズであり、その値は２０５〜２１５ｍｍである。
【０１０３】
したがって、これらの携帯端末が同じサイズの長さまたは幅に沿って整列して結合されて形成された単一の長方形画面は、全体として２０５〜２１５ｍｍの幅を有する。結合された単一の長方形画面の長さは、結合に用いられる携帯端末の数を選択することによって、または、他の異なる長さの携帯端末を選択することによって、２９０〜３０４ｍｍとすることができる。
【０１０４】
例えば、結合端末装置３０は、１つの携帯電話と１つのタブレットコンピュータの組み合わせによって形成することができる。または、結合端末装置３０は、１つの携帯電話と２つのタブレットコンピュータとの組み合わせによって形成することができる。
【０１０５】
本発明者は、上述したように、図２〜図５のいずれかに示す結合端末装置３０が複数の携帯端末２０によって接合されているときに、表示にのみ使用されている場合や、ＣＰＵの処理能力が十分である場合には、結合されるものは、全てが処理能力を有する携帯端末である必要はない。すなわち、図２から図５に示す結合端末装置３０に用いる携帯端末２０を、本発明における表示画面を備えた携帯電源装置７０に置き換えることができる。
【０１０６】
上記携帯電源装置７０は、蓄電池７３を充電するための外部電源を受け取る機能、表示画面７１と携帯端末２０などの外部機器とに電力を供給する機能、携帯端末２０などの外部機器から表示データを受信する機能、を備えている。但し、携帯電源装置７０は、操作などの他の電話機能は有していない。携帯端末２０は、その表示画面７１の表示データを携帯電源装置７０に提供する。また、携帯電源装置７０の蓄電池７３は、携帯端末２０に電力を供給する。
【０１０７】
一例として、図１１および図１３に示す表示画面を備えた携帯電源装置７０は、表示画面７１と、表示画面７１の下に配置された蓄電池７３と、表示画面７１及び蓄電池７３とを保持する筐体（図示せず）と、を備えている。携帯電源装置７０は、前面７４および背面７５を有するほぼ平板形状であり、結合方向においては、携帯電源装置７０の表示画面７１は、携帯端末２０の表示画面１０と同じ幅または長さを有する。
【０１０８】
一般に、携帯電源装置７０の表示画面７１は前面７４に位置しており、図１１においては、表示画面７１は完全に前面７４に位置している。しかし、図１３に示す実施形態では、表示画面７１は、前面７４の一部に設けられるだけであり、表示画面７１の表示領域の面積と蓄電池７３の占める領域の面積とは、前面７４の面積の７０％以上である。例えば、表示画面７１の表示領域の面積は、前面７４の面積の７５％、８０％、８５％、９０％、９５％以上である。本発明の一実施形態においては、表示画面７１の表示領域の面積は、前面７４の面積の７６％、７７％、７８％、７９％、８０％、８１％、８２％、８３％、８４％、８５％、８６％、８７％、８８％、８９％、９０％、９１％、９２％、９３％、９４％、９５％、９６％、９７％、９８％である。
【０１０９】
本発明の実施形態では、蓄電池７３の占める領域の面積は、前面７４の面積の７５％、８０％、８５％、９０％、９５％以上である。そして、本発明の一実施形態では、蓄電池７３の占有領域の面積は、前面７４の面積の７６％、７７％、７８％、７９％、８０％、８１％、８２％、８３％、８４％、８５％、８６％、８７％、８８％、８９％、９０％、９１％、９２％、９３％、９４％、９５％、９６％、９７％、９８％である。
【０１１０】
これにより、蓄電池７３の厚さを変えることなく蓄電池７３の容量を増やすことができ、携帯端末２０に対する外部電源供給サービスを提供することができる。加えて、携帯電源装置７０が携帯電話などの携帯端末２０に接続されている場合には、携帯電源装置７０の表示画面７１と携帯端末２０の表示画面１０とが同時に表示を行うことができる。
【０１１１】
本実施形態における携帯電源装置７０は、携帯電源装置７０及び携帯端末２０が結合されると、一方では携帯電源装置７０から携帯端末２０に電力が供給され、他方では、携帯電源装置７０の表示画面７１と携帯端末２０の表示画面１０とが共同してＡ４用紙比率を形成してコンテンツを表示する。
【０１１２】
図１１および図１３に示す本発明の実施形態では、図１に示す実質的に矩形の携帯端末２０と接合するために、携帯電源装置７０は、概ね実質的に長方形の平板形状である。もちろん、携帯電源装置７０の形状は、携帯端末２０との接合要件に従って特別に設計されてもよい。
【０１１３】
本発明の携帯電源装置７０は、背面７５に携帯端末２０を保持するため、筐体に設けられた保持構造を有する。図１１に示す実施形態では、保持構造として、背面７５に隣接して配置された背面側の磁気吸着素子７２を有する。背面側の磁気吸着素子７２は、図１２に示すように携帯電源装置７０の背面７５に携帯端末２０を保持するよう、携帯端末２０に備えられた対応する背面側の磁気吸着素子（例えば、図８および図９に示す磁石６０）と吸着するために使用される。
【０１１４】
図１３に示す実施形態では、保持構造は、携帯端末２０を保持するためのクリップ７６を備える。クリップ７６を備えることにより、携帯電源装置７０は、携帯電話の一般的なケースを実質的に形成することとなる。
【０１１５】
図１４に示すように、図１３に示す携帯電源装置７０と携帯端末２０とが結合端末装置３０に結合される際に、クリップ７６は携帯端末２０を保持する。このとき、携帯電源装置７０の背面７５は、携帯端末２０の背面に対面して当接しており、携帯電源装置７０の前面の表示画面と、携帯端末２０の前面の表示画面とは、共に外側を向いている。携帯電源装置７０が携帯端末２０とデータ接続されている場合には、携帯電源装置７０および携帯端末２０の前面の表示画面で、２画面表示を実現することができる。
【０１１６】
上述した図２から図５に示す結合端末装置３０における１つの携帯端末２０を、本発明における携帯電源装置７０に置き換えることができる。携帯端末２０と同様に、携帯電源装置７０は、相互に平行な第１の側面及び第２の側面といった両側面が形成されている。
【０１１７】
また、携帯電源装置７０は、第１の側面に設けられた第１の磁気吸着素子と、第２の側面に設けられた第２の磁気吸着素子と、を備えており、携帯端末２０の側面に配置された対応する側面側の磁気吸着素子と吸着する。これにより、携帯電源装置７０のいずれの側面にも、携帯端末２０を吸着させて結合することができる。
【０１１８】
第1の側面及び第2の側面、並びに、第１の磁気吸着素子及び第２の磁気吸着素子の配置は、上述した携帯端末２０の第１の側面及び第２の側面（ＳＬ及びＳＲ）並びに第１の磁気吸着素子及び第２の磁気吸着素子の配置と、実質的に同一である。例えば、第１の磁気吸着素子は第１の側面から突出しておらず、第２の磁気吸着素子は第２の側面から突出していない。なお、詳細な構成はここではこれ以上説明しない。
【０１１９】
本発明の一実施形態における携帯電源装置７０では、第１の導電接点は第１の側面に配置され、第２の導電接点は第２の側面に配置されている。第１の導電接点及び第２の導電接点は、携帯電源装置７０に保持された携帯端末２０の側面に対応して設けられた導電接点に電気的に接触するように用いられる。これにより、携帯端末２０から携帯電源装置７０にデータ伝送が行われ、携帯電源装置７０から携帯端末２０に電力供給が行われる。
【０１２０】
好ましい実施形態では、携帯電源装置７０の第１の導電接点と第２の導電接点との少なくとも一方は、装備されている側面の垂直方向に可動できるように、弾性材料にて構成されるか、バネにより付勢される。
【０１２１】
例えば、第１の導電接点は、複数の弓形金属板で構成され、第２の導電接点は、第２の側面に凹んで形成されている。第１の導電接点と第２の導電接点とが、携帯電源装置７０に保持された携帯端末２０の側面に対応して設けられた導電接点と電気的に接触する場合に、携帯電源装置７０の第１の側面と、携帯端末２０の側面とは、第１の導電接点が配置されている側面に対して垂直な方向に変形することによって、互いに一直線上に接合される。
【０１２２】
第１の導電接点と第２の導電接点との少なくとも一方は、伸長位置と収縮位置との間を移動可能なアクティブ接点として形成されてもよい。アクティブ接点は、伸長位置にあるときには、当該アクティブ接点が配置された側面から突出する。アクティブ接点が配置されている側面には、当該アクティブ接点を収容する凹部と、当該凹部を塞ぐ着脱可能な接点カバーと、が設けられている。
【０１２３】
例えば、第１の側面は第１の溝を有し、第１の導電接点は第１の溝に回転可能に接続されている。そして、第１の導電接点は、携帯端末２０の側面に対応して設けられた導電接点と相互に電気的に接続するために、第１の溝の外に回転する。また、第１の導電接点は、携帯端末２０の側面に対応して設けられた導電接点との電気的な接続を切断するために、第１の溝の内部に回転する。
【０１２４】
以上より、当業者にとって理解するべきところは、本明細書に本発明の複数の例示性の実施例を詳しく記述したが、本発明の趣旨や範囲を逸脱しない限り、本発明の開示する記載によって本発明の原理に該当する他の変形や変更を直接に取得し、或いは導出することができると言うまでもない。そのため、本発明の範囲は、これらの他の変形や変更が本願の範囲に属していると理解されるべきである。
【図１】
2018517336.tif 000003
【図２】
2018517336.tif 000004
【図３】
2018517336.tif 000005
【図４】
2018517336.tif 000006
【図５】
2018517336.tif 000007
【図６】
2018517336.tif 000008
【図７】
2018517336.tif 000009
【図８】
2018517336.tif 000010
【図９】
2018517336.tif 000011
【図１０】
2018517336.tif 000012
【図１１】
2018517336.tif 000013
【図１２】
2018517336.tif 000014
【図１３】
2018517336.tif 000015
【図１４】
2018517336.tif 000016
【国際調査報告】
2018517336.tif 000017
2018517336.tif 000018
2018517336.tif 000019
2018517336.tif 000020
2018517336.tif 000021
2018517336.tif 000022